(57)【要約】【課題】目視確認できない狭くて暗い箇所に取り付ける場合であっても、簡単に取り付けることが出来、連結上部と連結下部の取付時に簡単に取り付けられ、連結上部と連結下部の取り外しを、連結下部の操作のみで行うことが出来る。【解決手段】連結ユニットを、操作部の槽体裏面に配置されて固定され、且つ下端付近に係合部を構成した連結上部と、操作部側のレリースワイヤ端部と、レリースワイヤ端部と一体的若しくは着脱自在に取付られ、更に前記連結上部の係合部と係合する被係合部を構成する連結下部と、から構成し、係合部と被係合部の取り付け及び取り外しを連結下部への作業のみで行うことができる。【選択図】図１
2014234625.tif 000002
【特許請求の範囲】
【請求項１】
槽体１に開口した排水口１２と、
排水口１２を開閉する弁体２と、
前記弁体２の開閉を遠隔的に操作する為の操作部３と、
前記弁体２と操作部３間を連結して、操作部３の操作を弁体２へ伝達するレリースワイヤ４と、
前記レリースワイヤ４と操作部３を着脱自在に連結する連結ユニット７と、
から構成される遠隔操作式排水栓装置のレリースワイヤ連結構造において、
前記連結ユニット７を、
操作部３の槽体１裏面に配置されて固定され、且つ下端付近に係合部７１１を構成した連結上部７１と、
操作部３側のレリースワイヤ端部４３と、
レリースワイヤ端部４３と一体的若しくは着脱自在に取付られ、更に前記連結上部７１の係合部７１１と係合する被係合部７２２を構成する連結下部７２と、
から構成し、
係合部７１１と被係合部７２２の取り付け及び取り外しを連結下部７２への作業のみで行うことができる遠隔操作式排水栓装置のレリースワイヤ連結構造。
【請求項２】
前記連結ユニット７の連結上部７１の係合部７１１又は連結下部７２の被係合部７２２のいずれか一方に、係合部７１１と被係合部７２２が導かれるよう案内する為のガイド部８を構成したことを特徴とする前記請求項１に記載の遠隔操作式排水栓装置のレリースワイヤ連結構造。
【請求項３】
前記連結下部７２上端から連結下部７２の軸方向途中位置に構成した被係合部７２２まで、緩やかな傾斜面を連続させてガイド部８を構成し、更に連結上部７１の係合部７１１を凸条の突起とし、連結上部７１と連結下部７２の連結時に、前記ガイド部８に係合部７１１が当接して被係合部７２２まで係合部７１１が案内されることを特徴とする前記請求項２に記載の遠隔操作式排水栓装置のレリースワイヤ連結構造。
【請求項４】
前記連結上部７１下端から連結上部７１の軸方向途中位置に構成した係合部７１１まで、緩やかな傾斜面を連続させてガイド部８を構成し、更に連結下部７２の被係合部７２２を凸条の突起とし、連結上部７１と連結下部７２の連結時に、前記ガイド部８に被係合部７２２が当接して係合部７１１まで被係合部７２２が案内されることを特徴とする前記請求項２に記載の遠隔操作式排水栓装置のレリースワイヤ連結構造。
【請求項５】
前記連結下部７２の内外いずれかの周面に、被係合部７２２としての上方を開放したガイド溝９と、このガイド溝９の下端部側方にロック溝９１を連設し、
ロック溝９１には段部９１１を備え、
他方、前記ガイド溝９に対応する連結上部７１の周面に、係合部７１１としての凸状の突起を構成し、
前記連結下部７２を連結上部７１に被冠もしくは挿入して連結上部７１の係合部７１１を連結下部７２のガイド溝９とロック溝９１を経て段部９１１に係合可能に構成したことを特徴とする前記請求項１乃至請求項３のいずれか一つに記載の遠隔操作式排水栓装置のレリースワイヤ連結構造。
【請求項６】
前記連結上部７１の内外いずれかの周面に、係合部７１１としての下方を開放したガイド溝９と、このガイド溝９の上端部側方にロック溝９１を連設し、
ロック溝９１には段部９１１を備え、
他方、前記ガイド溝９に対応する連結下部７２の周面に、被係合部７２２としての凸状の突起を構成し、
前記連結上部７１を連結下部７２に被冠もしくは挿入して連結下部７２の被係合部７２２を連結上部７１のガイド溝９とロック溝９１を経て段部９１１に係合可能に構成したことを特徴とする前記請求項１又は請求項２又は請求項４のいずれか一つに記載の遠隔操作式排水栓装置のレリースワイヤ連結構造。
【請求項７】
前記連結ユニット７内部に、インナーワイヤ４２の軸方向の進退動作を保持する保持機構部６を構成したことを特徴とする前記請求項１乃至請求項６のいずれか一つに記載の遠隔操作式排水栓装置のレリースワイヤ連結構造。
【請求項８】
前記レリースワイヤ４を可撓性を備えた円筒状のアウターチューブ４１と、アウターチューブ４１内を軸方向に進退自在に作動するインナーワイヤ４２と、から構成し、常時インナーワイヤ４２を操作部３側へ付勢する付勢スプリング５を連結ユニット７又はレリースワイヤ４のいずれかに内蔵したことを特徴とする前記請求項１乃至請求項７のいずれか一つに記載の遠隔操作式排水栓装置のレリースワイヤ連結構造。
【発明の詳細な説明】
【技術分野】
【０００１】
本発明は、洗面台や浴槽の排水口の弁体を遠隔的に操作して開閉する遠隔操作式排水栓装置のレリースワイヤ連結構造に関するものである。
【背景技術】
【０００２】
従来よく知られた遠隔操作式排水栓装置のレリースワイヤ連結構造は、例えば図１１に示したものがある。この従来例の遠隔操作式排水栓装置は、例えば洗面ボウルや台所のキッチンシンク、浴室、などの槽体の排水口に備えられた弁体を、遠隔的に操作して開閉することができるものである。
本従来例の遠隔操作式排水栓装置のレリースワイヤの連結構造は、図１０に示すような洗面ボウルに取り付けられる。
また、本従来例の遠隔操作式排水栓装置のレリースワイヤ連結構造は、図１０に示すように、槽体と、排水口と、排水管と、弁体と、操作部と、レリースワイヤと、連結ユニットと、から構成される。
槽体は、箱体であって、底部に後記する排水口が開口される。又、本従来例では、洗面ボウルが槽体である。
排水口は、槽体の底部に開口された孔であって、排水口には、最終的には下水管と接続される排水管が接続されていて、内部に封水を構成して下水からの臭気や異臭を室内側へ逆流させないように排水トラップなどを介して配管し、槽体内部の排水を下水管へと排水するよう配管されている。
弁体は、排水口に配置され、弁体が上下動する毎に排水が排水／止水できるように成っている。弁体が排水口に降下して着座すれば排水口は閉口されて、排水は下水へと排水されず槽体内に貯水され、弁体が上昇した際は排水口が開口される。また、後記する操作部の操作により弁体が上昇／下降し、排水口の開閉を行うことが出来る。
操作部は、図１０に示すように、操作軸と、本体部と、保持機構部と、から構成される。
操作軸は、槽体の上縁部に配置構成される部材であって、先端にツマミを有した軸棒から成り、当該操作軸は、槽体上縁部分を介して槽体の裏面に上下動自在に貫通し、さらに操作軸下端は後記する本体部内に収納される。操作部の操作軸を使用者が上下動させることにより、レリースワイヤが進行／後退して弁体を上下動させることができ、遠隔的に操作することができる。
本体部は、槽体表面から裏面にかけて貫通して構成される筒体であって、操作軸と上下動自在に連結して配置される。本体部の上端は操作軸が進退自在に配置される。また、下方には後記する連結ユニットが構成される。
保持機構部は、本体部内部に収納される後記連結上部内に構成され、インナーワイヤの進退を保持／保持解除する部材である。本実施例では、ボールペンなどに用いられるスラストロック機構を備える。以上の構成要素で操作部を構成する。
レリースワイヤは、レリースワイヤは一方を操作部に、他方の端部を弁体側に連結接続して成り、インナーワイヤと、アウターチューブと、付勢スプリングと、ロッド部と、から構成される。
インナーワイヤは、金属の圧縮コイル状からなり、後記アウターチューブ内に進退自在に内包されている。
アウターチューブは、円筒状の可撓性を有した例えば四フッ化エチレンなどを用いた樹脂製の管体からなり、内部にインナーワイヤを内包している。
付勢スプリングは、アウターチューブ内に内蔵されるバネ体であり、前記保持機構部によって保持されたインナーワイヤが、保持機構部の解除の際に、進行した分だけバネの弾発力により元の箇所に後退するようになっている。また、本従来例では、後記ロッド部と連結下部の下端の間に、常時圧縮された状態（つまり常時軸方向に弾発するよう付勢された状態）で配置されている。
ロッド部は、インナーワイヤの操作部側端部にカシメ固定される部分であり、インナーワイヤの進退動作を保持機構部に作用させるように構成されている。ロッド部は保持機構内に配置されるように成っている。
連結ユニットは、連結上部と、連結下部と、連結体と、から構成される。
連結上部は、本体部内部に配置構成される連結下部が挿入される円筒体であって、本従来例では内部に保持機構部を構成している。また、前記本体部に接続固定されている。
連結下部は、レリースワイヤのアウターチューブに連結される円筒状の硬質部材であって、外周面に刻設された係合凹溝が構成されている。
連結体は、軸方向上面視Ｃ字リング形状であって、内周面に係合凸部を二箇所構成して成る。当該連結体は、予め本体部に脱着自在に取り付けられている。また、連結体には使用者が連結解除の際に押動操作するスイッチを単独で構成して成る。このスイッチは連結体のＣ字状の開放部分とは対向する箇所の、取付時下端に垂下して構成され、当該スイッチを使用者が中心方向に押動操作すると、連結体の上端が応力により外側方向に傾き、連結体の係合凸部が連結下部の係合凹溝からはずれるため、簡単にレリースワイヤを操作部から脱着できる。以上の構成要素で連結ユニットを構成する。（特許文献１）
【０００３】
本従来例の遠隔操作式排水栓装置のレリースワイヤ連結構造は以下のように施工される。
槽体の上縁部に操作部を取付ける。槽体の表面から操作部の本体部を差し込みナットなどで取り付け固定する。その後、排水口に排水管を配管接続し、レリースワイヤの弁体側端部を排水口内部に固定し、弁体を排水口内に配置する。その後、予め工場などで操作部の連結上部の切り欠きに連結体の係合凸部を係合させておく。その後、施工現場において、レリースワイヤの操作部側端部を操作部の連結下部下方に挿入配置後固定し、使用者や施工者が、レリースワイヤの連結下部を連結上部内に挿入する。そうすると、連結上部に予め取り付けられている連結体の係合凸部が弾性により拡径し、そのまま連結下部の係合凹溝に係合凸部が突入し、自身の弾性により元の形状に復元し縮径する。すると、連結体の係合凸部が、連結下部の係合凹溝に係合することとなる。そうすると、操作部の本体部並びに連結上部と、レリースワイヤの連結下部が、連結体により連結接続されることとなる。
このように施工時に、操作部の本体部並びに連結上部にレリースワイヤの連結下部を挿入するだけで操作部とレリースワイヤの連結が円滑・簡単にできる。
このような手順で遠隔操作式排水栓装置のレリースワイヤ連結構造の施工は完了する。
また、この遠隔操作式排水栓装置を故障やメンテナンスなどで分解する必要があった場合などには、レリースワイヤと操作部の連結も解除する必要がある場合がある。このような場合には、使用者や施工者が、連結ユニットの連結体のスイッチ部を片手で中心方向に向かって押動し、連結体の係合凸部と連結下部の係合凹溝との係合が解除される。係合が解除されたレリースワイヤの連結下部はそのまま操作部から取り外すことができ、非常に簡単にレリースワイヤと操作部の解除を行うことが出来る。
【０００４】
上記従来例の遠隔操作式排水栓装置のレリースワイヤ連結構造は以下のような排水の流れとなる。
槽体の排水口の弁体が下降している際に、操作部を押動すると、レリースワイヤのインナーワイヤが操作部の押動に対応し前進する。このとき、レリースワイヤに内蔵された付勢スプリングは圧縮される。そうすると、レリースワイヤは弁体側に連結されているので、インナーワイヤの前進に伴い弁体が押し上げられ上昇する。この状態時に、連結上部内の保持機構部が働き、インナーワイヤの前進量を保持することとなり、弁体の上昇が保持されることによって槽体の排水口が開口され、槽体内の排水が排水口から排水管、排水トラップを介して下水管へと排水される。また、この状態から操作部を押動すると、インナーワイヤが少量前進し、本体部内、又は連結上部内の保持機構部のインナーワイヤの保持が解除され、アウターチューブ内に内蔵され、且つ、インナーワイヤが前進した分だけ圧縮された付勢スプリングが保持機構部の解除に伴い圧縮が解除され、当該圧縮解除の付勢によりインナーワイヤが後退する。そうすると、インナーワイヤの後退に併せて弁体も下降するため、弁体が排水口に着座し、排水口を閉口することができる。この状態においては、排水口が閉口される為、槽体内部に水を貯水することができる。尚、これ以降は操作部の押動操作により上記の弁体の開閉作用が繰り返されることとなる。
【先行技術文献】
【特許文献】
【０００５】
【特許文献１】特開２０１２−２３３３４３号
【発明の概要】
【発明が解決しようとする課題】
【０００６】
前記した従来例の遠隔操作式排水栓装置のレリースワイヤ連結構造は、連結上部と連結下部の構造は差し込むだけで取付可能となっているが、洗面台や浴槽等の操作部付近の裏面は、狭くて暗く、また、施工時には浴槽裏や洗面ボウルの下部や内部に施工者が潜りこんで取り付けねば成らず、単に連結ユニットを差し込むだけでも取付状況が目視できないことが多い。従って、施工者にとって非常に施工しづらい。
また、前記した従来例の遠隔操作再起排水栓装置のレリースワイヤ連結構造は、メンテナンスや修理などの時、連結下部を連結上部から取り外さなければならないが、そのときは連結ユニットの、連結上部に取り付けられているスイッチ部を押圧して連結下部との係合を解除することとなる。しかしながら、上記したように、洗面ボウルや浴槽の特に操作部周辺の裏面は狭くて暗いため、施工者が連結上部に位置するスイッチ部に手が届かない場合があり、その場合であれば施工者は浴槽や洗面ボウル裏の内部に潜り込んで取り外しを行ったり、工具や治具などを差し込んで取り外しを行っていた為、非常に取り外しにくかった。
【０００７】
以上のことから、本願発明は以下の課題を解決する。
１．目視確認できない狭くて暗い箇所に取り付ける場合であっても、簡単に取り付けることが出来る。
２．連結上部と連結下部の取付時に簡単に取り付けられる。
３．連結上部と連結下部の取り外しを、連結下部の操作のみで行うことが出来る。
【課題を解決するための手段】
【０００８】
請求項１に記載の遠隔操作式排水栓装置のレリースワイヤ連結構造は、槽体１に開口した排水口１２と、排水口１２を開閉する弁体２と、前記弁体２の開閉を遠隔的に操作する為の操作部３と、前記弁体２と操作部３間を連結して、操作部３の操作を弁体２へ伝達するレリースワイヤ４と、前記レリースワイヤ４と操作部３を着脱自在に連結する連結ユニット７と、から構成される遠隔操作式排水栓装置のレリースワイヤ連結構造において、前記連結ユニット７を、操作部３の槽体１裏面に配置されて固定され、且つ下端付近に係合部７１１を構成した連結上部７１と、操作部３側のレリースワイヤ端部４３と、レリースワイヤ端部４３と一体的若しくは着脱自在に取付られ、更に前記連結上部７１の係合部７１１と係合する被係合部７２２を構成する連結下部７２と、から構成し、係合部７１１と被係合部７２２の取り付け及び取り外しを連結下部７２への作業のみで行うことができる遠隔操作式排水栓装置のレリースワイヤ連結構造である。
【０００９】
請求項２に記載の遠隔操作式排水栓装置のレリースワイヤ連結構造は、前記連結ユニット７の連結上部７１の係合部７１１又は連結下部７２の被係合部７２２のいずれか一方に、係合部７１１と被係合部７２２が導かれるよう案内する為のガイド部８を構成したことを特徴とする前記段落０００８に記載の遠隔操作式排水栓装置のレリースワイヤ連結構造である。
【００１０】
請求項３に記載の遠隔操作式排水栓装置のレリースワイヤ連結構造は、前記連結下部７２上端から連結下部７２の軸方向途中位置に構成した被係合部７２２まで、緩やかな傾斜面を連続させてガイド部８を構成し、更に連結上部７１の係合部７１１を凸条の突起とし、連結上部７１と連結下部７２の連結時に、前記ガイド部８に係合部７１１が当接して被係合部７２２まで係合部７１１が案内されることを特徴とする前記段落０００９に記載の遠隔操作式排水栓装置のレリースワイヤ連結構造である。
【００１１】
請求項４に記載の遠隔操作式排水栓装置のレリースワイヤ連結構造は、前記連結上部７１下端から連結上部７１の軸方向途中位置に構成した係合部７１１まで、緩やかな傾斜面を連続させてガイド部８を構成し、更に連結下部７２の被係合部７２２を凸条の突起とし、連結上部７１と連結下部７２の連結時に、前記ガイド部８に被係合部７２２が当接して係合部７１１まで被係合部７２２が案内されることを特徴とする前記段落０００９に記載の遠隔操作式排水栓装置のレリースワイヤ連結構造である。
【００１２】
請求項５に記載の遠隔操作式排水栓装置のレリースワイヤ連結構造は、前記連結下部７２の内外いずれかの周面に、被係合部７２２としての上方を開放したガイド溝９と、このガイド溝９の下端部側方にロック溝９１を連設し、ロック溝９１には段部９１１を備え、他方、前記ガイド溝９に対応する連結上部７１の周面に、係合部７１１としての凸状の突起を構成し、前記連結下部７２を連結上部７１に被冠もしくは挿入して連結上部７１の係合部７１１を連結下部７２のガイド溝９とロック溝９１を経て段部９１１に係合可能に構成したことを特徴とする前記段落０００８乃至段落００１０のいずれか一つに記載の遠隔操作式排水栓装置のレリースワイヤ連結構造である。
【００１３】
請求項６に記載の遠隔操作式排水栓装置のレリースワイヤ連結構造は、前記連結上部７１の内外いずれかの周面に、係合部７１１としての下方を開放したガイド溝９と、このガイド溝９の上端部側方にロック溝９１を連設し、ロック溝９１には段部９１１を備え、他方、前記ガイド溝９に対応する連結下部７２の周面に、被係合部７２２としての凸状の突起を構成し、前記連結上部７１を連結下部７２に被冠もしくは挿入して連結下部７２の被係合部７２２を連結上部７１のガイド溝９とロック溝９１を経て段部９１１に係合可能に構成したことを特徴とする前記段落０００８又は段落０００９又は段落００１１のいずれか一つに記載の遠隔操作式排水栓装置のレリースワイヤ連結構造である。
【００１４】
請求項７に記載の遠隔操作式排水栓装置のレリースワイヤ連結構造は、前記連結ユニット７内部に、インナーワイヤ４２の軸方向の進退動作を保持する保持機構部６を構成したことを特徴とする前記段落０００８乃至段落００１３のいずれか一つに記載の遠隔操作式排水栓装置のレリースワイヤ連結構造である。
【００１５】
請求項８に記載の遠隔操作式排水栓装置のレリースワイヤ連結構造は、前記レリースワイヤ４を可撓性を備えた円筒状のアウターチューブ４１と、アウターチューブ４１内を軸方向に進退自在に作動するインナーワイヤ４２と、から構成し、常時インナーワイヤ４２を操作部３側へ付勢する付勢スプリング５を連結ユニット７又はレリースワイヤ４のいずれかに内蔵したことを特徴とする前記段落０００８乃至段落００１４のいずれか一つに記載の遠隔操作式排水栓装置のレリースワイヤ連結構造である。
【発明の効果】
【００１６】
請求項１に記載の本発明は、連結ユニット７を、操作部３の槽体１裏面に配置されて固定され、且つ下端付近に係合部７１１を構成した連結上部７１と、操作部３側のレリースワイヤ端部４３と、レリースワイヤ端部４３と一体的若しくは着脱自在に取付られ、更に前記連結上部７１の係合部７１１と係合する被係合部７２２を構成する連結下部７２と、から構成し、係合部７１１と被係合部７２２の取り付け及び取り外しを連結下部７２の作業のみで行うことができるという構成を採用したことにより、槽体１裏面の空間が狭くて、施工者の手が届かない場所に連結上部７１が配置されていても、連結下部７２への作動もしくは動きのみで簡単に連結上部７１と連結下部７２が取り付け／取り外しができるようになった。従って施工性が非常に向上した。
請求項２に記載の本発明は、前記連結ユニット７の連結上部７１の係合部７１１又は連結下部７２の被係合部７２２のいずれか一方に、係合部７１１と被係合部７２２が導かれるよう案内する為のガイド部８を構成したことにより、連結状態を目視確認できない場所に操作部３を取り付けても、施工者は連結上部７１に連結下部７２を挿入／被せても、必ず係合部７１１はガイド部により被係合部７２２に案内されるので、誤取付や取り付けられないというようなことがなく、連結下部７２のみを操作するだけという簡単な操作で取り付け・取り外しが出来るようになった。
請求項３に記載の本発明は、連結下部７２上端から連結下部７２の軸方向途中位置に構成した被係合部７２２まで、緩やかな傾斜面を連続させてガイド部８を構成し、更に連結上部７１の係合部７１１を凸条の突起とし、連結上部７１と連結下部７２の連結時に、前記ガイド部８に係合部７１１が当接して被係合部７２２まで係合部７１１が案内されることとしたから、連結下部７２を連結上部７１に差し込む又は被嵌するだけで係合部７１１がガイド部８により被係合部７２２に案内されるので、簡単に施工することが出来る上、連結下部７２の操作のみで取り付け／取り外しを行うことが出来る。
請求項４に記載の本発明は、連結上部７１下端から連結上部７１の軸方向途中位置に構成した係合部７１１まで、緩やかな傾斜面を連続させてガイド部８を構成し、更に連結下部７２の被係合部７２２を凸条の突起とし、連結上部７１と連結下部７２の連結時に、前記ガイド部８に被係合部７２２が当接して係合部７１１まで被係合部７２２が案内されることとしたから、連結下部７２を連結上部７１に差し込む又は被嵌するだけで係合部７１１がガイド部８により被係合部７２２に案内されるので、簡単に施工することが出来る上、連結下部７２の操作のみで取り付け／取り外しを行うことが出来る。
請求項５に記載の本発明は、連結下部７２の内外いずれかの周面に、被係合部７２２としての上方を開放したガイド溝９と、このガイド溝９の下端部側方にロック溝９１を連設し、ロック溝９１には段部９１１を備え、他方、前記ガイド溝９に対応する連結上部７１の周面に、係合部７１１としての凸状の突起を構成し、前記連結下部７２を連結上部７１に被冠もしくは挿入して連結上部７１の係合部７１１を連結下部７２のガイド溝９とロック溝９１を経て段部９１１に係合可能に構成したことから、より強固かつ簡単に係合部７１１と被係合部７２２の係合を行うことが出来、さらには解除も簡単に行うことが出来る。
請求項６に記載の本発明は、前記連結上部７１の内外いずれかの周面に、係合部７１１としての下方を開放したガイド溝９と、このガイド溝９の上端部側方にロック溝９１を連設し、ロック溝９１には段部９１１を備え、他方、前記ガイド溝９に対応する連結下部７２の周面に、被係合部７２２としての凸状の突起を構成し、前記連結上部７１を連結下部７２に被冠もしくは挿入して連結下部７２の被係合部７２２を連結上部７１のガイド溝９とロック溝９１を経て段部９１１に係合可能に構成したことから、より強固かつ簡単に係合部７１１と被係合部７２２の係合を行うことが出来、さらには解除も簡単に行うことが出来る。
請求項７に記載の本発明は、前記連結ユニット７内部に、インナーワイヤ４２の軸方向の進退動作を保持する保持機構部６を構成したことから、インナーワイヤ４２の動作を保持する事が出来るようになった。これは、操作部３のプッシュ操作のみで弁体２の開閉を行う際にも有効であるし、操作部３の押し引き操作で弁体２の開閉を行う場合でも有効に作用する。
請求項８に記載の本発明は、前記レリースワイヤ４を可撓性を備えた円筒状のアウターチューブ４１と、アウターチューブ４１内を軸方向に進退自在に作動するインナーワイヤ４２と、から構成し、常時インナーワイヤ４２を操作部３側へ付勢する付勢スプリング５を連結ユニット７又はレリースワイヤ４のいずれかに内蔵したことから、請求項７においてはプッシュ操作のみで弁体２の開閉を行う際に有効に作用するし、それ以外の請求項においては、係合部７１１と被係合部７２２の係合をより強く解除する場合に有効に作用する。
【図面の簡単な説明】
【００１７】
【図１】実施例１の施工状態を示す断面図及び一部拡大図である。
【図２】実施例１の施工状態を示す分解断面図である。
【図３】（ａ）〜（ｆ）実施例１の施工手順を示す側面図である。
【図４】（ａ）〜（ｆ）実施例１の施工手順を示す斜視図である。
【図５】実施例２の施工状態を示す断面図及び一部拡大図である。
【図６】（ａ）〜（ｄ）実施例２の施工手順を示す側面図である。
【図７】（ａ）〜（ｄ）実施例２の施工手順を示す斜視図である。
【図８】（ａ）〜（ｄ）その他の実施例の施工手順を示す側面図である。
【図９】（ａ）〜（ｄ）その他の実施例の施工手順を示す斜視図である。
【図１０】実施例及び従来例の遠隔操作式排水栓装置が取り付けられた洗面ボウルの断面図である。
【図１１】従来例を示す斜視図である。
【発明を実施するための形態】
【実施例１】
【００１８】
本発明の遠隔操作式排水栓装置のレリースワイヤ連結構造は、例えば洗面ボウルや台所のキッチンシンク、浴室、などの槽体１の排水口１２に備えられた弁体２を、遠隔的に操作して開閉することができるものである。
本実施例の遠隔操作式排水栓装置のレリースワイヤ４の連結構造は、図１０に示すような洗面ボウルに取り付けられる。
また、本実施例の遠隔操作式排水栓装置のレリースワイヤ連結構造は、図１乃至図４に示すように、槽体１と、排水口１２と、排水管Ｈと、弁体２と、操作部３と、レリースワイヤ４と、連結ユニット７と、から構成される。
槽体１は、箱体であって、底部に後記する排水口１２が開口される。又、本実施例では、洗面ボウルが槽体１である。
排水口１２は、槽体１の底部に開口された孔であって、排水口１２には、最終的には下水管と接続される排水管Ｈが接続されていて、内部に封水を構成して下水からの臭気や異臭を室内側へ逆流させないように排水トラップなどを介して配管し、槽体１内部の排水を下水管へと排水するよう配管されている。
弁体２は、排水口１２に配置され、弁体２が上下動する毎に排水が排水／止水できるように成っている。弁体２が排水口１２に降下して着座すれば排水口１２は閉口されて、排水は下水へと排水されず槽体１内に貯水され、弁体２が上昇した際は排水口１２が開口される。また、後記する操作部３の操作により弁体２が上昇／下降し、排水口１２の開閉を行うことが出来る。
操作部３は、図１乃至図２に示すように、操作軸３１と、本体部３３と、保持機構部６と、から構成される。
操作軸３１は、槽体１の上縁部に配置構成される部材であって、先端にツマミ３２を有した軸棒から成り、当該操作軸３１は、槽体１上縁部分を介して槽体１の裏面に上下動自在に貫通し、さらに操作軸３１下端は後記する本体部３３内に収納される。操作部３の操作軸３１を使用者が上下動させることにより、レリースワイヤ４が進行／後退して弁体２を上下動させることができ、遠隔的に操作することができる。
本体部３３は、槽体１表面から裏面にかけて貫通して構成される筒体であって、操作軸３１と上下動自在に連結して配置される。本体部３３の上端は操作軸３１が進退自在に配置される。また、下方には後記する連結ユニット７が構成される。
保持機構部６は、本体部３３内部に収納される後記連結上部７１内に構成され、インナーワイヤ４２の進退を保持／保持解除する部材である。本実施例では、ボールペンなどに用いられるスラストロック機構を備える。以上の構成要素で操作部３を構成する。
レリースワイヤ４は、一方を操作部３に、他方の端部を弁体２側に連結接続して成り、インナーワイヤ４２と、アウターチューブ４１と、付勢スプリング５と、ロッド部４４と、から構成される。
インナーワイヤ４２は、図１に示したように金属の圧縮コイル状からなり、後記アウターチューブ４１内に進退自在に内包されている。
また、本発明ではレリースワイヤ４の操作部３側端部を、レリースワイヤ端部４３と呼び、連結下部７２に予め連結しておく。
アウターチューブ４１は、図１に示したように円筒状の可撓性を有した例えば四フッ化エチレンなどを用いた樹脂製の管体からなり、内部にインナーワイヤ４２を内包している。
付勢スプリング５は、図１に示したように、アウターチューブ４１内に内蔵されるバネ体であり、前記保持機構部６によって保持されたインナーワイヤ４２が、保持機構部６の解除の際に、進行した分だけバネの弾発力により元の箇所に後退するようになっている。付勢スプリング５は、アウターチューブ４１端部に固定されているので、常時操作部３側に弾発（付勢）するようになっている。また、本実施例では、後記ロッド部４４と連結下部７２の下端の間に、常時圧縮された状態（つまり常時軸方向に弾発するよう付勢された状態）で配置されている。
ロッド部４４は、図１に示したように、インナーワイヤ４２の操作部３側端部にカシメ固定される部分であり、インナーワイヤ４２の進退動作を保持機構部６に作用させるように構成されている。ロッド部４４は保持機構内に配置されるように成っている。
連結ユニット７は、図１乃至図４に示したように、連結上部７１と、係合部７１１と、連結下部７２と、被係合部７２２と、ガイド部８と、から構成される。
連結上部７１は、本体部３３内部に配置構成される連結下部７２が挿入される円筒体であって、本実施例では内部に保持機構部６を構成している。また、前記本体部３３に接続固定されている。
係合部７１１は、連結上部７１の外周に隆起して構成されるリブ状の突起である。後記の連結下部７２の被係合部７２２に係合するようになっている。
連結下部７２は、レリースワイヤ４のアウターチューブ４１に連結される円筒状の硬質部材であって、連結上部７１に脱着自在に取り付けられるようになっている。
被係合部７２２は、連結下部７２に構成され、ガイド溝９と、ロック溝９１と、段部９１１と、から構成される。
ガイド溝９は、連結下部７２の上端から、上方を開放して垂下して構成される切り欠き状の溝であって、本実施例ではガイド溝９に拡径抑制用の架橋が構成されている。
ロック溝９１は、ガイド溝９の下端部から側方（周方向）に向かってガイド溝９から連続して構成する溝である。このロック溝９１に最終的には係合部７１１が係合することとなる。
段部９１１は、ロック溝９１に構成する段差であって、この実施例ではロック溝９１の上端から下方に向けて突出する段である。また、当該段部９１１は、ロック溝９１の端面より少し隙間を開けて構成される。段部９１１は、前記係合部７１１が当該段部９１１を乗り越えて通過した後この段部９１１に係合部７１１が引っかかる為、係合部７１１と被係合部７２２の係合を行うことが出来る。
ガイド部８は、連結下部７２に構成され、連結下部７２上端から被係合部７２２のガイド溝９まで連続する傾斜壁である。このガイド部８が構成されることにより、連結上部７１に連結下部７２が差し込まれても、連結上部７１の係合部７１１が当該連結下部７２のガイド部８に当接しガイドされ、連結下部７２の被係合部７２２まで係合部７１１が案内される。
【００１９】
本実施例の遠隔操作式排水栓装置のレリースワイヤ連結構造は以下のように施工される。
まず、工場等で予め一部施工しておく場合・又は、施工現場で取り付ける際は、浴槽や洗面ボウルを据え付ける前に、図２、図３・図４（ａ）に示したように、槽体１の上縁部に操作部３を取付ける。槽体１の表面から操作部３の本体部３３を差し込みナットなどで取り付け固定する。そして、洗面ボウル裏面から連結上部７１を本体部３３にネジ接続等によって強固に接続固定する。ここまで作業工程は、浴槽や洗面ボウルが据え付けられていないので、施工者が狭い場所に潜り込まずとも取り付けることが可能である。また、図２に示したように、予め工場等で操作部３側のレリースワイヤ端部４３を連結下部７２下方に挿入配置後固定しておく。
その後、施工現場もしくは浴槽や洗面ボウルを据え付け後、排水口１２に排水管Ｈや排水トラップを配管接続し、レリースワイヤ４の弁体２側端部を排水口１２内部に固定し、弁体２を排水口１２内に配置する。この作業工程は、排水管Ｈの配管等の位置決め等があり、施工現場で浴槽や洗面ボウルを据え付け後に行う必要がある。
そして、使用者や施工者が、洗面ボウル下方や浴槽裏面からレリースワイヤ端部４３が接続された連結下部７２を連結上部７１外周に挿入する。そうすると、図３・図４（ｂ）に示すように連結上部７１の係合部７１１が連結下部７２のガイド部８に当接され、施工者がそのまま挿入しつづけると、図３・図４（ｃ）に示すように、係合部７１１がガイド部８の傾斜に沿って被係合部７２２のガイド溝９まで案内される。従って、施工者は単に連結下部７２を連結上部７１に挿入するだけで簡単に係合部７１１を被係合部７２２まで案内することができるので、わざわざ目視確認しなくてもよい。
そして、被係合部７２２のガイド溝９まで案内された係合部７１１は、図３・図４（ｄ）に示すように、そのまま使用者の挿入によりガイド溝９下端まで通過し、ガイド溝９下端まで連結下部７２を押し進めたら施工者は連結下部７２を回転させる。図３・図４（ｅ）に示すように、回転力を付与された連結下部７２の作用により、係合部７１１はガイド溝９側方に構成されたロック溝９１を通過し、段部９１１に到達する。そのまま施工者が付与した回転力により、係合部７１１は段部９１１を乗り越え、図３・図４（ｆ）に示すように、係合部７１１と被係合部７２２の段部９１１が係合する。段部９１１と係合部７１１が係合することで回転力が付与されなくなっても係合が解除することがない。
また、係合が解除された際には、レリースワイヤ４に内蔵された付勢スプリング５の弾発力（軸方向に付勢する付勢力）により、連結下部７２と連結上部７１は常時軸方向に付勢されているので、連結上部７１の係合部７１１と連結下部７２の被係合部７２２の係合がより強固に係合されるので、少し程度の荷重が加わったりした際や、操作部３の押し操作の押力等の応力によって解除されてしまうことがない。
このようにして操作部３の本体部３３並びに連結上部７１と、レリースワイヤ端部４３が接続された連結下部７２が簡単に接続されることとなる。
このように施工時に、操作部３の本体部３３並びに連結上部７１にレリースワイヤ端部４３が接続された連結下部７２を挿入するだけで操作部３とレリースワイヤ４の連結が円滑・簡単にできる。
また、洗面ボウルや浴槽裏の狭い空間で施工者が操作部３側裏面を目視確認できなくても、施工者は連結下部７２の押し込み操作、若しくは回転力付与の操作のみで取り付ける事が出来る。
また、配管後に、連結ユニット７の接続を行う理由の一つとしては、洗面ボウルや浴槽裏の最短レリースワイヤ４取り回しが排水配管が接続された後でないと施工しにくいという点があげられる。
このような手順で遠隔操作式排水栓装置のレリースワイヤ連結構造の施工は完了する。
また、この遠隔操作式排水栓装置を故障やメンテナンスなどで分解する必要があった場合などには、レリースワイヤ４と操作部３の連結も解除する必要がある場合がある。このような場合には、使用者や施工者が、連結ユニット７の連結下部７２のみを回転操作するだけで取り外すことができる。施工者が連結下部７２を操作し取付時とは逆方向の回転力を付与させると、図３・図４（ｅ）に示すように、係合部７１１が段部９１１を乗り越え、ロック溝９１を通過し図３・図４（ｄ）のように端部まで到達する。その後、施工者が回転の付与を中止すると、レリースワイヤ４の付勢スプリング５の軸方向の付勢力により、連結上部７１と連結下部７２の両者は反発するので、固定された連結上部７１の係合部７１１に対して連結下部７２のガイド溝９が付勢力により下方に反発され、図３・図４（ｃ）に示すように、係合部７１１がガイド溝９に沿い通過し、結果的に係合部７１１と被係合部７２２が解除され連結上部７１と連結下部７２の連結が解除される。従って、施工者は、連結下部７２の操作のみで連結上部７１と連結下部７２の連結を簡単に片手で行うことが出来る。
係合が解除されたレリースワイヤ端部４３が接続された連結下部７２はそのまま操作部３から取り外すことができ、非常に簡単にレリースワイヤ４と操作部３の解除を行うことが出来る。
【００２０】
上記実施例の遠隔操作式排水栓装置のレリースワイヤ連結構造は以下のような排水の流れとなる。
槽体１の排水口１２の弁体２が下降している際に、操作軸３１を押動すると、レリースワイヤ４のインナーワイヤ４２が操作軸３１の押動に対応し前進する。このとき、レリースワイヤ４に内蔵された付勢スプリング５は圧縮される。そうすると、レリースワイヤ４は弁体２側に連結されているので、インナーワイヤ４２の前進に伴い弁体２が押し上げられ上昇する。この状態時に、連結上部７１内の保持機構部６が働き、インナーワイヤ４２の前進量を保持することとなり、弁体２の上昇が保持されることによって槽体１の排水口１２が開口され、槽体１内の排水が排水口１２から排水管Ｈ、排水トラップを介して下水管へと排水される。また、この状態から操作軸３１を押動すると、インナーワイヤ４２が少量前進し、本体部３３内、又は連結上部７１内の保持機構部６のインナーワイヤ４２の保持が解除され、アウターチューブ４１内に内蔵され、且つ、インナーワイヤ４２が前進した分だけ圧縮された付勢スプリング５が保持機構部６の解除に伴い圧縮が解除され、当該圧縮解除の付勢によりインナーワイヤ４２が後退する。そうすると、インナーワイヤ４２の後退に併せて弁体２も下降するため、弁体２が排水口１２に着座し、排水口１２を閉口することができる。この状態においては、排水口１２が閉口される為、槽体１内部に水を貯水することができる。尚、これ以降は操作部３の押動操作により上記の弁体２の開閉作用が繰り返されることとなる。
【実施例２】
【００２１】
以下に第二実施例の遠隔操作式排水栓装置のレリースワイヤ連結構造の実施例を、図面を参照しつつ説明する。
本発明の遠隔操作式排水栓装置のレリースワイヤ連結構造は、例えば洗面ボウルや台所のキッチンシンク、浴室、などの槽体１の排水口１２に備えられた弁体２を、遠隔的に操作して開閉することができるものである。
本実施例の遠隔操作式排水栓装置のレリースワイヤ連結構造は、図１０に示すような洗面ボウルに取り付けられる。
また、本実施例の遠隔操作式排水栓装置のレリースワイヤ連結構造は、図５乃至図７に示すように、槽体１と、排水口１２と、排水管Ｈと、弁体２と、操作部３と、レリースワイヤ４と、連結ユニット７と、から構成される。
槽体１は、箱体であって、底部に後記する排水口１２が開口される。又、本実施例では、洗面ボウルが槽体１である。
排水口１２は、槽体１の底部に開口された孔であって、排水口１２には、最終的には下水管と接続される排水管Ｈが接続されていて、内部に封水を構成して下水からの臭気や異臭を室内側へ逆流させないように排水トラップなどを介して配管し、槽体１内部の排水を下水管へと排水するよう配管されている。
弁体２は、排水口１２に配置され、弁体２が上下動する毎に排水が排水／止水できるように成っている。弁体２が排水口１２に降下して着座すれば排水口１２は閉口されて、排水は下水へと排水されず槽体１内に貯水され、弁体２が上昇した際は排水口１２が開口される。また、後記する操作部３の操作により弁体２が上昇／下降し、排水口１２の開閉を行うことが出来る。
操作部３は、図５に示すように、操作軸３１と、本体部３３と、から構成される。
操作軸３１は、槽体１の上縁部に配置構成される部材であって、先端にツマミ３２を有した軸棒から成り、当該操作軸３１は、槽体１上縁部分を介して槽体１の裏面に上下動自在に貫通し、さらに操作軸３１下端は後記する本体部３３内に収納される。また、本実施例では操作軸３１はインナーワイヤ４２とロッド部４４を介して直結して構成される為、操作部３の操作軸３１を使用者が上下動させることにより、レリースワイヤ４が進行／後退して弁体２を上下動させることができ、遠隔的に操作することができる。操作軸３１には、Ｏリング等の弾性部材が介在されているため、操作軸３１またはインナーワイヤ４２の前進／後退の動きを嵌合や摩擦の力により保持することができる。尚、当該Ｏリングが本実施例での保持機構部６となる。
本体部３３は、槽体１表面から裏面にかけて貫通して構成される筒体であって、操作軸３１と上下動自在に連結して配置される。本体部３３の上端は操作軸３１が進退自在に配置される。また、下方には後記する連結ユニット７が構成される。
レリースワイヤ４は、一方を操作部３に、他方の端部を弁体２側に連結接続して成り、インナーワイヤ４２と、アウターチューブ４１と、ロッド部４４と、から構成される。
また、本発明ではレリースワイヤ４の操作部３側端部を、レリースワイヤ端部４３と呼び、連結下部７２に予め連結しておく。
インナーワイヤ４２は、図５に示すように、金属のより線コイルからなり、後記アウターチューブ４１内に進退自在に内包されている。また、操作部３側のインナーワイヤ４２端部は、ロッド部４４を介して操作軸３１と一体的に連結して構成されている。
アウターチューブ４１は、図５に示すように、円筒状の可撓性を有した例えば四フッ化エチレンなどを用いた樹脂製の管体からなり、内部にインナーワイヤ４２を内包している。
ロッド部４４は、インナーワイヤ４２の操作部３側端部にカシメ固定される部分であり、インナーワイヤ４２の進退動作を操作部３の操作軸３１に作用させるように構成されている。また、本実施例では図５に示すように、ロッド部４４は操作部３の操作軸３１に連結接続して構成される。
連結ユニット７は、図５乃至図７に示すように、連結上部７１と、係合部７１１と、ガイド部８と、連結下部７２と、被係合部７２２と、から構成される。
連結上部７１は、本体部３３内部に配置構成される連結下部７２が挿入される円筒体であって、本体部３３に接続固定されている。
係合部７１１は、連結上部７１に構成され、ガイド溝９と、ロック溝９１と、段部９１１と、から構成される。
ガイド溝９は、連結上部７１の下端から、下方を開放し垂直方向に構成される切り欠き状の溝であって、本実施例ではガイド溝９に拡径抑制用の架橋が構成されている。
ロック溝９１は、ガイド溝９の上端部から側方（周方向）に向かってガイド溝９から連続して構成する溝である。このロック溝９１に最終的には後述の係合部７１１が係合することとなる。
段部９１１は、ロック溝９１に構成する段差であって、この実施例ではロック溝９１の下端面から上方に向けて突出する段である。また、当該段部９１１は、ロック溝９１の端面より少し隙間を開けて構成される。段部９１１は、後述する係合部７１１が当該段部９１１を乗り越えて通過した後この段部９１１に係合部７１１が引っかかる為、係合部７１１と被係合部７２２の係合を行うことが出来る。
ガイド部８は、連結上部７１に構成され、連結上部７１下端から被係合部７２２のガイド溝９まで連続する傾斜壁である。このガイド部８が構成されることにより、連結上部７１に連結下部７２が差し込まれても、連結下部７２の被係合部７２２が当該連結上部７１のガイド部８に当接しガイドされ、連結上部７１の係合部７１１まで被係合部７２２が案内される。
連結下部７２は、レリースワイヤ４のアウターチューブ４１に連結される円筒状の硬質部材であって、連結上部７１に脱着自在に取り付けられるようになっている。
被係合部７２２は、連結下部７２の外周に隆起して構成されるリブ状の突起である。上記連結上部７１の係合部７１１に係合するようになっている。
【００２２】
本実施例の遠隔操作式排水栓装置のレリースワイヤ連結構造は以下のように施工される。
まず、工場等で予め一部施工しておく場合・又は、施工現場で取り付ける際は、浴槽や洗面ボウルを据え付ける前に、槽体１の上縁部に操作部３を取付ける。槽体１の表面から操作部３の本体部３３を差し込みナットなどで取り付け固定する。そして、洗面ボウル裏面から連結上部７１を本体部３３にネジ接続等によって強固に接続固定する。ここまで作業工程は、浴槽や洗面ボウルが据え付けられていないので、施工者が狭い場所に潜り込まずとも取り付けることが可能である。また、図６・図７（ａ）に示すように、予め工場等で操作部３側のレリースワイヤ端部４３を連結下部７２下方に挿入配置後固定しておく。その後、施工現場もしくは浴槽や洗面ボウルを据え付け後、排水口１２に排水管Ｈや排水トラップを配管接続し、レリースワイヤ４の弁体２側端部を排水口１２内部に固定し、弁体２を排水口１２内に配置する。この作業工程は、排水管Ｈの配管等の位置決め等があり、施工現場で浴槽や洗面ボウルを据え付け後に行う必要がある。
そして、使用者や施工者が、洗面ボウル下方や浴槽裏面からレリースワイヤ端部４３が接続された連結下部７２を連結上部７１外周に挿入する。そうすると、図６・図７（ｂ）に示すように、連結下部７２の被係合部７２２が連結上部７１のガイド部８に当接され、施工者がそのまま挿入しつづけると、被係合部７２２がガイド部８の傾斜に沿うように係合部７１１のガイド溝９まで案内される。従って、施工者は単に連結下部７２を連結上部７１に挿入するだけで簡単に被係合部７２２を係合部７１１まで案内することができるので、わざわざ目視確認しなくてもよい。
そして、係合部７１１のガイド溝９まで案内された被係合部７２２は、図６・図７（ｃ）に示すように、そのまま使用者の挿入によりガイド溝９上端まで通過し、ガイド溝９上端まで連結下部７２を押し進めたら施工者は連結下部７２を回転させる。回転力を付与された連結下部７２の作用により、被係合部７２２はガイド溝９側方に構成されたロック溝９１を通過し、段部９１１に到達する。そのまま施工者が付与した回転力により、被係合部７２２は段部９１１を乗り越え、図６・図７（ｄ）に示すように、被係合部７２２と係合部７１１の段部９１１が係合する。
そうすると、操作部３の本体部３３並びに連結上部７１と、レリースワイヤ端部４３が接続された連結下部７２が簡単に接続されることとなる。
そして、インナーワイヤ４２は操作部３の操作軸３１とロッド部４４を介して連結されているので、槽体１の表面から操作軸３１を引っ張り出し、操作軸３１先端にツマミ３２を取り付ける。
このように施工時に、操作部３の本体部３３並びに連結上部７１にレリースワイヤ端部４３が接続された連結下部７２を挿入するだけで操作部３とレリースワイヤ４の連結が円滑・簡単にできる。
また、洗面ボウルや浴槽裏の狭い空間で施工者が操作部３側裏面を目視確認できなくても、施工者は連結下部７２の押し込み操作、若しくは回転力付与の操作のみで取り付ける事が出来る。
また、配管後に、連結ユニット７の接続を行う理由の一つとしては、洗面ボウルや浴槽裏のレリースワイヤ４最短取り回しが排水配管が接続された後でないと施工しにくいという点があげられる。
このような手順で遠隔操作式排水栓装置のレリースワイヤ連結構造の施工は完了する。
また、この遠隔操作式排水栓装置を故障やメンテナンスなどで分解する必要があった場合などには、レリースワイヤ４と操作部３の連結も解除する必要がある場合がある。このような場合には、使用者や施工者が、連結ユニット７の連結下部７２のみを回転操作するだけで取り外すことができる。施工者が連結下部７２を操作し取付時とは逆方向の回転力を付与させると、被係合部７２２が段部９１１を乗り越え、図６・図７（ｃ）のようにロック溝９１を通過し端部まで到達する。その後、施工者が連結下部７２を引き下げると、固定された連結上部７１のガイド溝９に対して連結下部７２の被係合部７２２が下方にガイド溝９に沿うよう通過し、結果的に被係合部７２２と係合部７１１が解除され連結上部７１と連結下部７２の連結が解除される。従って、施工者は、連結下部７２の操作のみで連結上部７１と連結下部７２の連結を簡単に片手で行うことが出来る。
係合が解除されたレリースワイヤ端部４３が接続された連結下部７２はそのまま操作部３から取り外すことができ、非常に簡単にレリースワイヤ４と操作部３の解除を行うことが出来る。
【００２３】
上記実施例の遠隔操作式排水栓装置のレリースワイヤ連結構造は以下のような排水の流れとなる。
槽体１の排水口１２の弁体２が下降している際に、操作部３を押動すると、レリースワイヤ４のインナーワイヤ４２が操作部３の押動に対応し前進する。そうすると、レリースワイヤ４は弁体２側に連結されているので、インナーワイヤ４２の前進に伴い弁体２が押し上げられ上昇する。この状態時に、槽体１の排水口１２が開口され、槽体１内の排水が排水口１２から排水管Ｈ、排水トラップを介して下水管へと排水される。また、この状態から操作部３を引き上げると、インナーワイヤ４２が引き上げられた分インナーワイヤ４２が後退し、インナーワイヤ４２の後退に併せて弁体２も下降するため、弁体２が排水口１２に着座し、排水口１２を閉口することができる。この状態においては、排水口１２が閉口される為、槽体１内部に水を貯水することができる。尚、これ以降は操作部３の押動操作により上記の弁体２の開閉作用が繰り返されることとなる。
【００２４】
本発明は前記した実施例のほか、特許請求の範囲を越えない範囲で適宜変更は可能である。
例えば、図８及び図９に示すように、ガイド部８を軸方向に傾斜して位置決めするように構成しても構わない。この実施例の場合は中心軸方向に傾斜する、底面が楕円形状の略円錐台形状を成すガイド部８であって、連結下部７２のガイド部８に沿う傾斜を連結上部７１内周面に構成することによって、連結下部７２を連結上部７１に挿入するだけで、係合部７１１と被係合部７２２を適正な位置に移動させ係合させることができる。また、連結下部７２を連結上部７１内に挿入する形状となっているが、逆に連結下部７２内部に連結上部７１を挿入する形状としても構わない。その場合はガイド部８の位置構成も連結下部７２と連結上部７１と逆になるが、結果的に係合部７１１が被係合部７２２まで案内されれば良い。
また、上記実施例では、連結上部７１を槽体１裏面から固定しているが、槽体１上面から槽体１に開口された穴を介して挿入固定してもかまわない。
【符号の説明】
【００２５】
１      槽体
１２    排水口
２      弁体
３      操作部
３１    操作軸
３２    ツマミ
３３    本体部
４      レリースワイヤ
４１    アウターチューブ
４２    インナーワイヤ
４３    レリースワイヤ端部
４４    ロッド部
５      付勢スプリング
６      保持機構部
７      連結ユニット
７１    連結上部
７１１  係合部
７２    連結下部
７２２  被係合部
８      ガイド部
９      ガイド溝
９１    ロック溝
９１１  段部
Ｈ      排水管
【図１】
2014234625.tif 000003
【図２】
2014234625.tif 000004
【図３】
2014234625.tif 000005
【図４】
2014234625.tif 000006
【図５】
2014234625.tif 000007
【図６】
2014234625.tif 000008
【図７】
2014234625.tif 000009
【図８】
2014234625.tif 000010
【図９】
2014234625.tif 000011
【図１０】
2014234625.tif 000012
【図１１】
2014234625.tif 000013